(57)【要約】【課題】ホログラム層を構成する合成樹脂製フィルムの金属蒸着層が被着されていない面に昇華転写することで、ホログラムを背景とした鮮明な昇華転写による図柄が表面に施されているシート状物を提供する。【解決手段】合成樹脂製フィルム１の外面からはホログラム模様が呈されるように、合成樹脂製フィルム１の裏面には金属蒸着層２が被着形成されている。金属蒸着層２の裏面には布３が、ホットメルト接着剤４を介して金属蒸着層２に一体的に取り付けられている。【選択図】図１
2014119744.tif 000002
【特許請求の範囲】
【請求項１】
合成樹脂製フィルムの表面に昇華転写による図柄が表現されたホログラムを施されたシート状物であって、
前記合成樹脂製フィルムの裏面に金属蒸着層が被着されてホログラム層が形成され、
前記金属蒸着層の裏面には接着剤を介在させて布が重合接着され、
前記合成樹脂製フィルムの表面に昇華転写により図柄が施されてなることを特徴とするホログラムを施されたシート状物。
【請求項２】
表面に昇華転写による図柄を表現されたホログラムを施されたシート状物であって、
合成樹脂製フィルムの裏面に金属蒸着層が被着されたホログラム層が形成され、
前記金属蒸着層の裏面には接着剤を介在させて裏面側合成樹脂製フィルムを接着積層し、
該裏面側合成樹脂製フィルムの裏面には接着剤を用いないで布を重合接着して積層し、
前記表面側合成樹脂製フィルムの表面に昇華転写により絵柄が施されてなることを特徴とするホログラムを施されたシート状物。
【請求項３】
表面及び裏面の両面に昇華転写による図柄を表現されたホログラムを施されたシート状物であって、
合成樹脂製フィルムの内側面に金属蒸着層が被着されてなるホログラム層、接着剤、合成樹脂製フィルム、布、合成樹脂製フィルム、接着剤、合成樹脂製フィルムの内側面に金属蒸着層が被着形成されてなるホログラム層を順次積層して一体的に形成し、
前記ホログラム層の合成樹脂製フィルムの外側面に昇華転写により図柄が施されてなることを特徴とするホログラムを施されたシート状物。
【請求項４】
表面及び裏面の両面に昇華転写による図柄を表現されたホログラムを施されたシート状物であって、
合成樹脂製フィルムの内側面に金属蒸着層が被着されてなるホログラム層と別の合成樹脂製フィルムの内側面に金属蒸着層が被着されてなるホログラム層との間に接着剤を介在させて重合接着し、
前記合成樹脂製フィルムの外側面に昇華転写により図柄が施されてなることを特徴とするホログラムを施されたシート状物。
【請求項５】
上記合成樹脂製フィルムが、ポリエステル系樹脂製フィルムであることを特徴とする請求項１、２、３又は４の何れかに記載のホログラムを施されたシート状物。
【請求項６】
上記接着剤がホットメルト接着剤であることを特徴とする請求項１、２、３、４又は５の何れかに記載のホログラムを施されたシート状物。
【請求項７】
上記請求項１、２、３、４、５又は６の何れかに記載のホログラムを施されたシート状物を所望形状に切断し、且つ周縁を縁かがりをし、縫製或は貼着により鞄や衣服に取り付けたことを特徴とするホログラムを施されたシート状物を用いた装身物。
【発明の詳細な説明】
【技術分野】
【０００１】  本願発明はホログラムを背景にした鮮明な図柄を表現可能なホログラムを施されたシート状物及びホログラムを施されたシート状物を用いた装身物に関する。
【背景技術】
【０００２】  ホログラム模様を施した物は、ホログラム層を具備するホログラム転写シートを用いて紙等の被転写物に転写し、被転写物にホログラム模様を施すことが一般的であった（例えば、特許文献１、２又は４参照）。このホログラム転写シートを用いる方法であると、離型紙を必要としていた。
又、ホログラム模様を呈する布として、模様を有する布の表面にホログラム形成層を具備する転写シートで転写し、ホログラム形成層の下方から布に施された模様が見えるようにしたリバーシブル布地が提案されている（例えば、特許文献３参照）。
特許文献３に開示の発明は、金属蒸着層を有するホログラム形成層を具備した転写シートを用いて、布の表面にホログラム形成層を転写しようとするものであり、模様は予め最下層に位置する布地表面にプリント等により施しておく必要性がある。そのため、鮮明な図柄が後に付加表現できないという問題点があった。又、布に施した柄がホログラム形成層を介して視認できるようにしているので、図柄がホログラム模様に遮蔽され布に表現した柄がそのまま表出できなず、図柄が不鮮明になるという問題点があった。
熱転写受像シートとしては、裏面層上に基材層を設け、基材層の上にアルミニウム蒸着層を具備するホログラムフィルム層を、その上にウレタン樹脂等からなる中間層を、更に最上層には飽和ポリエステルと塩化ビニルー酢酸ビニル共重合体との混合樹脂等よりなる受容層を順次接着積層し、最下層の裏面層上面に絵柄を施したり、中間層に染料を加えて全体を有彩色にすることが提案されている（例えば、特許文献４参照）。
特許文献４に開示の発明であると、上記特許文献１に開示の発明と同様に、最下層の裏面層に予め表現しておく必要性があり、後に付加することが出来ず、中間層や上層により裏面層に施した柄が遮蔽され、裏面層の柄が鮮明に表出されないという問題点があった。
ホログラム層上に印刷を施し、印刷インクの濃淡によってホログラム面から表出される視覚性を変化させるようにした印刷物が提案されている（例えば、特許文献５参照）。
特許文献５に開示の発明であると、ホログラム面に予め直接的にインクジェット印刷等の印刷により柄を表現し、更に上面に保護フィルムを積層するようにしている。通常、印刷には基材に紙を使用するため、洗濯等に耐久性がなく、又、ホログラム層に直接印刷をするため、例えば雨模様状のホログラム面であると印刷面が雨模様に変化するというように、印刷された絵柄がホログラムの視覚性変化を直接的に影響を受けるという問題点があった。
【先行技術文献】
【特許文献】
【０００３】
【特許文献１】特公平６−９０５９３号公報
【特許文献２】特許第４９９８３８４号の特許公報
【特許文献３】特開平７−２１６７６４号公報
【特許文献４】特開２００２−１８７３６９号公報
【特許文献５】実用新案登録第３１３１９４３号の登録実用新案公報
【発明の概要】
【発明が解決しようとする課題】
【０００４】  本願発明は上記従来技術の問題点を解決するために布を基材の一部に用いること、及び、ホログラム転写シートを用いることなく、ホログラム層の構成要素の一部である金属蒸着層が被着された合成樹脂製フィルムの外面に直接に昇華転写により図柄を転写して表現することでホログラム模様を背景にし表面に昇華転写による鮮明な図柄を表出した多目的に使用できる用途の広いホログラムを施されたシート状物及びホログラムを施されたシート状物を用いた装身物を提供することを目的とする。
【課題を解決するための手段】
【０００５】  上記目的を達成するために、本願の請求項１に係る発明は表面に昇華転写による図柄を表現されるホログラムを施されたシート状物であって、合成樹脂製フィルムの裏面に金属蒸着層が被着されてホログラム層が形成され、金属蒸着層の裏面には接着剤を介在させて布が重合接着され、合成樹脂製フィルムの表面に昇華転写により図柄が施されてなることを特徴とする。
請求項２に記載の発明は、表面に昇華転写による図柄を表現されたホログラムを施されたシート状物であって、合成樹脂製フィルムの裏面に金属蒸着層が被着されたホログラム層が形成され、前記金属蒸着層の裏面には接着剤を介在させて裏面側合成樹脂製フィルムを接着積層し、該裏面側合成樹脂製フィルムの裏面には接着剤を用いないで布を重合接着して積層し、前記表面側合成樹脂製フィルムの表面に昇華転写により絵柄が施されてなることを特徴とする。
請求項３に記載の発明は、表面及び裏面の両面に昇華転写による図柄を表現されたホログラムを施されたシート状物であって、合成樹脂製フィルムの内側面に金属蒸着層が被着されてなるホログラム層、接着剤、合成樹脂製フィルム、布、合成樹脂製フィルム、接着剤、合成樹脂製フィルムの内側面に金属蒸着層が被着形成されてなるホログラム層を順次積層して一体的に形成し、前記ホログラム層の合成樹脂製フィルムの外側面に昇華転写により図柄が施されてなることを特徴とする。
請求項４に記載の発明は、表面及び裏面の両面に昇華転写による図柄を表現されたホログラムを施されたシート状物であって、合成樹脂製フィルムの内側面に金属蒸着層が被着されてなるホログラム層と別の合成樹脂製フィルムの内側面に金属蒸着層が被着されてなるホログラム層との間に接着剤を介在させて重合接着し、前記合成樹脂製フィルムの外側面に昇華転写により図柄が施されてなることを特徴とする。
請求項５に記載の発明は、請求項１、２、３又は４の何れかに記載のホログラムを施されたシート状物を構成する合成樹脂製フィルムが、ポリエステル系樹脂製フィルムであることを特徴とする。
請求項６に記載の発明は、請求項１、２、３、４又は５の何れかに記載のホログラムを施されたシート状物の接着剤がホットメルト接着剤であることを特徴とする。
請求項７に記載の発明は、上記請求項１、２、３、４、５又は６の何れかに記載のホログラムを施されたシート状物を用いた装身物であって、シート状物を所望形状に切断し、且つ周縁を縁かがりをし、縫製或は貼着により鞄や衣服に取り付けたことを特徴とする。
【発明の効果】
【０００６】  ホログラム転写シートにより転写した物品に昇華転写をするのではなく、直接、鮮明な昇華転写が可能なポリエステル系樹脂よりなるフィルムに昇華転写をすることで、鮮明な図柄が表現できるという効果がある。
直接、ホログラム層の金属蒸着層とは反対面に昇華転写をするため、離型紙等が不要であり、作業性が向上するという効果がある。
基材に布を使用しているため、好みの形状に切断してバッグや衣服等に直接縫着することが可能で、耐洗濯性に優れ、例えば衣服への装飾部品等、用途が拡大するという効果がある。
【図面の簡単な説明】
【０００７】
【図１】ホログラムを施されたシート状物の断面図である。（実施例１）
【図２】ホログラムを施されたシート状物を用いた装身物を示す平面図である。（実施例１）
【図３】ホログラムを施されたシート状物の製造方法において、合成樹脂製フィルムの片面に金属蒸着層が被着された状態を示す説明図である。（実施例１）
【図４】ホログラムを施されたシート状物を製造する方法おいて、布の片面に接着剤を塗着した状態を示す説明図である。（実施例１）
【図５】ホログラムを施されたシート状物を製造する方法おいて、接着剤を塗着された布に金属蒸着層が被着された合成樹脂製フィルムを重合する状態を示す説明図である。（実施例１）
【図６】ホログラムを施されたシート状物を製造する方法おいて、布、接着剤、金属蒸着層及び合成樹脂製フィルムよりなる積層体の合成樹脂製フィルムの上面に昇華転写シートを載置しようとする状態を示す説明図である。（実施例１）
【図７】昇華転写シートを合成樹脂製フィルムから剥離する状態を示す説明図である。（実施例１）
【図８】ホログラムを施されたシート状物の断面図である。（実施例２）
【図９】ホログラムを施されたシート状物を製造する方法おいて、合成樹脂製フィルム、金属蒸着層、接着剤、合成樹脂製フィルムを積層した状態を示す説明図である。（実施例２）
【図１０】ホログラムを施されたシート状物を製造する方法おいて、合成樹脂製フィルム、金属蒸着層、接着剤、合成樹脂製フィルムからなる積層体を布に重合する状態を示す説明図である。（実施例２）
【図１１】ホログラムを施されたシート状物を製造する方法おいて、合成樹脂製フィルム、金属蒸着層、接着剤、合成樹脂製フィルム、布からなる積層体の合成樹脂製フィルムの上面に昇華転写シートを載置しようとする状態を示す説明図である。（実施例２）
【図１２】昇華転写シートを合成樹脂製フィルムの上面から剥離する状態を示す説明図である。（実施例２）
【図１３】ホログラムを施されたシート状物の断面図である。（実施例３）
【図１４】積層体間に布を介在させて積層体を層状に重合接着する状態を示す説明図である。（実施例３）
【図１５】ホログラムを施されたシート状物の断面図である。（実施例４）
【図１６】ホログラムを施されたシート状物を製造する方法を示す説明図である。（実施例４）
【発明を実施するための形態】
【０００８】  合成樹脂製フィルムと布とは熱溶着で重合接着し、金属蒸着層と合成樹脂製フィルムとはホットメルト接着剤層を介在させることで過熱加圧作業で一体的に積層し、ホログラム層のホログラムを表出する合成樹脂製フィルムの表面に図柄を直接昇華転写することでホログラムを背景にした鮮明な図柄の表現を実現した。
【実施例１】
【０００９】  図１及び図２に基いてホログラムを施されたシート状物の実施例を説明する。合成樹脂製フィルム１としてポリエチレンテレフタレートフィルム（以下「ＰＥＴフィルム」という）等のポリエステル系合成樹脂製フィルムを用いる。合成樹脂製フィルム１の裏面にはアルミニウム等よりなる金属蒸着層２を被着形成している。合成樹脂製フィルム１の外面からはホログラム模様が呈されている。ホログラム模様は、金属蒸着層２の構造よりレインボー状模様、３ｃｍレンズ状模様、７色レンズ状模様、１０ｃｍレンズ状模様、クリスタル模様、ハイパー模様、ダスト状模様、筋状（雨状）模様、モザイク模様等の如何なる模様を呈するものであってもよい。金属蒸着層２の裏面には布３が、接着剤４を介して金属蒸着層２に一体的に取り付けられている。布３はポリエステル繊維等の合成繊維よりなる不織布を用いることが好適であるが、綿、麻、レーヨンやキュプラ等の再生繊維、合成繊維と天然繊維との混紡、或は獣毛繊維の何れであってもよく、又、織物であってもよい。接着剤４はホットメルト接着剤であり、具体的にはポリアミド系接着剤を用いることが好適である。ポリエステル系樹脂製フィルム１の表面には昇華転写により絵柄が施されている。【００１０】  図２に示すホログラムを施されたシート状物を用いた装身物は、布３、接着剤４、金属蒸着層２及び合成樹脂製フィルム１が一体的に積層されてなる積層体を所望形状に切断し、周縁を縁かがりの目的でメロー仕上げ５をして形成されている。布３を被取着物である布製バッグや衣服等の表面に当接させ、メロー仕上げ５の部分に沿って縫い目を設けて縫着するか、不織布３の外面に接着剤を塗着して被取着物である皮革製若しくは合成樹脂製バッグや衣服等の表面に接着して取り付けて装飾目的に使用することができる。【００１１】  次に、図３〜図７を参照にして実施例１のホログラムを施されたシート状物の製造方法について説明する。先ずは、図３に示すように、ＰＥＴフィルムよりなる合成樹脂製フィルム１の裏面に金属蒸着層２を被着形成して２層よりなる積層体を製造する。次に、図４に示すように、ポリエステル繊維製不織布よりなる布３の表面にホットメルト接着剤４を均一に塗着し布３と接着剤４よりなる２層の積層体を製造する。図５に示すように、布３と接着剤４よりなる２層の積層体の表面に裏面に金属蒸着層２を具備する合成樹脂製フィルム１の裏面を重合し熱圧着し、布３、接着剤４、金属蒸着層２及び合成樹脂製フィルム１よりなる４層積層体を得る。図６に示すように、４層積層体のポリエステル系樹脂製フィルム１の表面に昇華転写シート６を重ね合わせ、転写する図柄により加熱温度は異なるが約１８０℃程度の温度で加熱し加圧する。図７に示すように、昇華転写シート６を１の合成樹脂製フィルム１の表面から剥離して、合成樹脂製フィルム１の表面に絵柄を転写してホログラムを施されたシート状物を得る。得られた製品は、合成樹脂製フィルム１の表面に昇華転写により鮮明な図柄が表現でき、裏面に布３が一体的に取り付けられているので、洗濯等の物理的刺激に対し耐久性を有し、製品を所望形状に切断し、周囲にメロー仕上げを施すことで片面にホログラム模様を背景にし、表面には鮮明な図柄が表出しているワッペン等としてバッグや衣服等に直接縫着或は接着剤を用いて貼着できる。最も裏面側に配設される布３に接着剤を介在させて別の不織布を重合接着し、基布の硬度を高めることも本願発明に包含される。
実施例１は、ポリエステル系樹脂製フィルムである合成樹脂製フィルム１、つまり高分子フィルムの表面に直接的に昇華転写を行うため、ホログラム模様を背景にした鮮明な画像が転写されたシート状物を得ることができる。従来のように、ホログラム層を具備する転写シートで布にホログラム層を転写する必要性がないため、作業性が向上する。
【実施例２】
【００１２】  図８に示されるホログラムを施されたシート状物の実施例２を説明する。合成樹脂製フィルム７の裏面に金属蒸着層８が被着されてホログラム層を形成している。合成樹脂製フィルム７には、ポリエステル系樹脂製フィルムを使用する。金属蒸着層８の裏面には、ホットメルト接着剤９を介在してポリエステル系の合成樹脂製フィルム１０が一体的に積層されている。合成樹脂製フィルム１０の裏面にはポリエステル繊維からなる不織布１１が接着剤を用いることなく加熱による溶着で一体的に被着積層されている。つまり、布１１、合成樹脂製フィルム１０、接着剤９、金属蒸着層８及び合成樹脂製フィルム７が下から順に積層された５層積層体に形成され、合成樹脂製フィルム７の外面に昇華転写による図柄が施されている。不織布よりなる布１１には、接着剤を用いて別の不織布よりなる布を接着し、布１１の強度を高めることも本願発明に包含され。合成樹脂製フィルム７の表面には、昇華転写により図柄が施されている。【００１３】  図９〜図１２を参照にして実施例２のホログラムを施されたシート状物の製造方法について説明する。先ず、図９に示すように、合成樹脂製フィルム７の裏面に金属蒸着法により金属蒸着層８を被着形成する。金属蒸着層８の裏面にはホットメルト接着剤９を介在させて合成樹脂製フィルム１０を接着している。図１０に示すように、合成樹脂製フィルム１０の裏面にポリエステル繊維よりなる不織布の布１１を重合し、加熱加圧により合成樹脂製フィルム１０の裏面にポリエステル繊維よりなる不織布製の布１１を溶着して、布１１、合成樹脂製フィルム１０、接着剤９、金属蒸着層８、及び合成樹脂製フィルム７よりなる５層の積層体を得る。この５層の積層体の合成樹脂製フィルム７の表面に昇華転写シート６を載置した状態で加熱及び加圧をし、図１２に示すように昇華転写シート６を合成樹脂製フィルム７の表面から剥離する。得られた製品は、合成樹脂製フィルム７の表面に鮮明な図柄が施され、背景にはホログラム模様を有する装飾性の高い製品であった。
【実施例３】
【００１４】  図１３に示されるホログラムを施されたシート状物の実施例３を説明する。ポリエステル系樹脂製フィルムよりなる合成樹脂製フィルム１２、金属蒸着層１３、ホットメルト接着剤１４、ポリエステル系樹脂製フィルムよりなる合成樹脂製フィルム１５、布１６、ポリエステル系樹脂製フィルムよりなる合成樹脂製フィルム１７、接着剤１８、金属蒸着層１９、ポリエステル系樹脂製フィルムよりなる合成樹脂製フィルム２０が順に重合積層されて一体化し９層積層体を形成している。ポリエステル系樹脂製フィルムよりなる合成樹脂製フィルム１２及びポリエステル系樹脂製フィルムよりなる合成樹脂製フィルム２０の外面には夫々昇華転写により鮮明な図柄が表現されている。
このシート状物は所望形状に切断して周囲をメロー仕上げ等の縁かがり加工をすることで、より装飾性が高まる。断面中心部にポリエステル繊維よりなる不織布の布１６が配設されていることで縫製することが可能である。ポリエステル系樹脂製フィルムよりなる合成樹脂製フィルム１２とポリエステル系樹脂製フィルムよりなる合成樹脂製フィルム２０から表出されるホログラム模様を異ならしめることや、昇華転写する図柄を表裏面で異ならしめることで、表裏面からは異なる視覚性を訴えるホログラムを背景とした絵柄が表現でき、リバーシブルのホログラムを施されたシート状物を提供することができる。【００１５】  図１４を参照にして実施例１３のホログラムを施されたシート状物の製造方法について説明する。先ずは、合成樹脂製フィルム１２の片面にアルミニウムの金属蒸着層１３を被着形成する。金属蒸着層１３の合成樹脂製フィルム１２が被着されていない面には接着剤１４を介在して合成樹脂製フィルム１５を接着し、４層の積層体２１を製造する。合成樹脂製フィルム２０の片面には金属蒸着層１９を被着形成する。金属蒸着層１９の合成樹脂製フィルム２０が被着されていない面には接着剤１８を介在して合成樹脂製フィルム１７を接着し４層の積層体２２を製造する。積層体２２と積層体２１との間には不織布よりなる布１６を介在して熱加圧により布１６をポリエステル系樹脂製フィルムよりなる合成樹脂製フィルム１５、１７に溶着する。得られた９層の積層体のポリエステル系樹脂製フィルムよりなる合成樹脂製フィルム１２、２０の外面に昇華転写シート（図示省略）を当接し、加熱加圧して両面に昇華転写による図柄が施されたシートを得る。
【実施例４】
【００１６】  図１５に示されるホログラムを施されたシート状物の実施例４を説明する。ポリエステル系樹脂製フィルム２３、アルミニウムの金属蒸着層２４、接着剤２５、アルミニウムの金属蒸着層２６、ポリエステル系樹脂製フィルム２７が順に層状に一体的に重合されている。ポリエステル系樹脂製フィルム２３、２６からはホログラム模様が表出されている。ポリエステル系樹脂製フィルム２３、２６には昇華転写により図柄が施されている。ポリエステル系樹脂製フィルム２３とポリエステル系樹脂製フィルム２６に形成されているホログラム模様を表面と裏面とで異ならしめ、且つ昇華転写された図柄も異ならしめることで表裏面で異なるホログラム模様の背景を具備した図柄を表現できる。【００１７】  図１６を参照にして実施例４のホログラムを施されたシート状物の製造方法について説明する。ポリエステル系樹脂製フィルムよりなる合成樹脂製フィルム２３の片面にアルミニウムの金属蒸着層２４を被着形成する。ポリエステル系樹脂製フィルムよりなる合成樹脂製フィルム２７の片面にアルミニウムの金属蒸着層２６を被着形成する。金属蒸着層２６にホットメルト接着剤２５を塗着し、ホットメルト接着剤２５の塗着面に金属蒸着層２４を重合し、加熱加圧接着する。得られたポリエステル系樹脂製フィルムよりなる合成樹脂製フィルム２３、金属蒸着層２４、接着剤２５、金属蒸着層２６、ポリエステル系樹脂製フィルムよりなる合成樹脂製フィルム２７よりなる５層の積層体のポリエステル系樹脂製フィルムよりなる合成樹脂製フィルム２３、２７の外面に昇華転写シートを重合した状態で加熱加圧し、ポリエステル系樹脂製フィルムよりなる合成樹脂製フィルム２３、２７の表面からホログラムを背景にした鮮明な図柄が施された模様が呈される。
【符号の説明】
【００１８】  １、７、１０、１２、１５、１７、２３、２７  合成樹脂製フィルム
２、８、１３、１９、２４  金属蒸着層
３、１１、１６  布
４、９、１４、１８、２５  接着剤
５  縁かがり
６  昇華転写シート
【図１】
2014119744.tif 000003
【図２】
2014119744.tif 000004
【図３】
2014119744.tif 000005
【図４】
2014119744.tif 000006
【図５】
2014119744.tif 000007
【図６】
2014119744.tif 000008
【図７】
2014119744.tif 000009
【図８】
2014119744.tif 000010
【図９】
2014119744.tif 000011
【図１０】
2014119744.tif 000012
【図１１】
2014119744.tif 000013
【図１２】
2014119744.tif 000014
【図１３】
2014119744.tif 000015
【図１４】
2014119744.tif 000016
【図１５】
2014119744.tif 000017
【図１６】
2014119744.tif 000018